(57)【要約】【課題】本発明は、水に対する恐怖心を和らげることができるとともに、水に対する恐怖心を克服する一助とすることができるキャップを提供することを目的とする。【解決手段】本発明のキャップは、使用者の頭部に装着されて使用され、使用者の頭部の上方から落下する水が使用者の顔面にかかることを抑制するキャップ１であって、キャップ１が、使用者の頭部が挿入可能な頭部挿入部２と、頭部挿入部２の外周に設けられる庇部３とを備え、庇部３は、庇部３の外縁３２よりも内側に、水が落下可能な複数の排水孔Ｐ１、Ｐ２が設けられることを特徴とする。【選択図】図２
2020130882.tif 000002
【特許請求の範囲】
【請求項１】
使用者の頭部に装着されて使用され、前記使用者の頭部の上方から落下する水が前記使用者の顔面にかかることを抑制するキャップであって、
前記キャップが、前記使用者の頭部が挿入可能な頭部挿入部と、前記頭部挿入部の外周に設けられる庇部とを備え、
前記庇部は、前記庇部の外縁よりも内側に、前記水が落下可能な複数の排水孔が設けられる、
キャップ。
【請求項２】
前記排水孔が、大きさの異なる複数の排水孔を備える、
請求項１記載のキャップ。
【請求項３】
前記庇部が、前記排水孔が設けられる領域と、前記排水孔が設けられない領域とを備え、
前記庇部が、前記排水孔が設けられる領域と前記排水孔が設けられない領域とを判別するための特徴部を備える、
請求項１または２記載のキャップ。
【請求項４】
前記排水孔が、第１の面積を有する第１の排水孔と、前記第１の面積とは異なる第２の面積を有する第２の排水孔とを備え、
前記庇部が、前記第１の排水孔が設けられる第１の領域と、前記第２の排水孔が設けられる第２の領域とを備え、
前記庇部が、前記第１の領域と前記第２の領域とを判別するための有孔領域特徴部を備える、
請求項１〜３のいずれか１項に記載のキャップ。
【請求項５】
前記庇部が、前記庇部の内縁から外縁に向かって延びる凸状の山部および凹状の谷部を備え、
前記山部および前記谷部は、前記谷部の底部の延びる方向が、前記山部の頂部の延びる方向に対して、前記内縁から前記外縁に向かって下方に傾斜するように配置される、
請求項１〜４のいずれか１項に記載のキャップ。
【発明の詳細な説明】
【技術分野】
【０００１】
本発明は、キャップに関する。
【背景技術】
【０００２】
従来、たとえば洗髪時に顔面に水がかかるのを抑制するために、たとえば特許文献１に開示されるように、洗髪用キャップが用いられている。洗髪用キャップは、使用者の目から離れた位置で水が下方に落下するように構成されているので、水に対する恐怖心を和らげる効果を有している。
【先行技術文献】
【特許文献】
【０００３】
【特許文献１】特開２０１２−８１２２６号公報
【発明の概要】
【発明が解決しようとする課題】
【０００４】
しかし、特許文献１の洗髪用キャップを使用すると、水に対する恐怖心を和らげることができるが、使用を継続していると、水に対する恐怖心をいつまでたっても克服することができない。
【０００５】
本発明は、上記問題に鑑みなされたもので、水に対する恐怖心を和らげることができるとともに、水に対する恐怖心を克服する一助とすることができるキャップを提供することを目的とする。
【課題を解決するための手段】
【０００６】
本発明のキャップは、使用者の頭部に装着されて使用され、前記使用者の頭部の上方から落下する水が前記使用者の顔面にかかることを抑制するキャップであって、前記キャップが、前記使用者の頭部が挿入可能な頭部挿入部と、前記頭部挿入部の外周に設けられる庇部とを備え、前記庇部は、前記庇部の外縁よりも内側に、前記水が落下可能な複数の排水孔が設けられることを特徴とする。
【０００７】
また、前記排水孔が、大きさの異なる複数の排水孔を備えることが好ましい。
【０００８】
また、前記庇部が、前記排水孔が設けられる領域と、前記排水孔が設けられない領域とを備え、前記庇部が、前記排水孔が設けられる領域と前記排水孔が設けられない領域とを判別するための特徴部を備えることが好ましい。
【０００９】
また、前記排水孔が、第１の面積を有する第１の排水孔と、前記第１の面積とは異なる第２の面積を有する第２の排水孔とを備え、前記庇部が、前記第１の排水孔が設けられる第１の領域と、前記第２の排水孔が設けられる第２の領域とを備え、前記庇部が、前記第１の領域と前記第２の領域とを判別するための有孔領域特徴部を備えることが好ましい。
【００１０】
また、前記庇部が、前記庇部の内縁から外縁に向かって延びる凸状の山部および凹状の谷部を備え、前記山部および前記谷部は、前記谷部の底部の延びる方向が、前記山部の頂部の延びる方向に対して、前記内縁から前記外縁に向かって下方に傾斜するように配置されることが好ましい。
【発明の効果】
【００１１】
本発明によれば、水に対する恐怖心を和らげることができるとともに、水に対する恐怖心を克服する一助とすることができるキャップを提供することができる。
【図面の簡単な説明】
【００１２】
【図１】本発明の一実施形態に係るキャップが使用者の頭部に装着された状態を示す斜視図である。
【図２】（ａ）は、本発明の一実施形態に係るキャップの上面図であり、（ｂ）は、（ａ）のＩＩ−ＩＩ線断面図である。
【図３】本発明の一実施形態に係るキャップの第３の領域が使用者の頭部の前方（図中左側）に位置付けられて使用されている状態を模式的に示す図であり、（ａ）は、使用者の図示を省略したキャップの上面図であり、（ｂ）は、使用者の頭部に装着された状態の（ａ）のキャップのＩＩＩ−ＩＩＩ線断面の模式図である。
【図４】本発明の一実施形態に係るキャップの第２の領域が使用者の頭部の前方（図中左側）に位置付けられて使用されている状態を模式的に示す図であり、（ａ）は、使用者の図示を省略したキャップの上面図であり、（ｂ）は、使用者の頭部に装着された状態の（ａ）のキャップのＩＶ−ＩＶ線断面の模式図である。
【図５】本発明の一実施形態に係るキャップの第１の領域が使用者の頭部の前方（図中左側）に位置付けられて使用されている状態を模式的に示す図であり、（ａ）は、使用者の図示を省略したキャップの上面図であり、（ｂ）は、使用者の頭部に装着された状態の（ａ）のキャップのＶ−Ｖ線断面の模式図である。
【発明を実施するための形態】
【００１３】
以下、図面を参照して、本発明の一実施形態に係るキャップを説明する。ただし、以下の実施形態は一例にすぎず、本発明のキャップは、以下の実施形態に限定されることはない。
【００１４】
本実施形態のキャップ１は、図１に示されるように、使用者の頭部Ｈに装着されて使用される。キャップ１は、使用者の頭部Ｈに装着されることで、使用者の頭部Ｈの上方から落下する水が使用者の顔面にかかることを抑制する。キャップ１は、特に、使用者が頭部Ｈの髪を洗う際に水が顔面にかかるのを抑制する目的で洗髪用キャップとして好適に使用することが可能であるが、洗髪用としての使用に限定されることはなく、頭部Ｈの上方から水が落下する際に顔面に水がかかるのを抑制するニーズのある他の用途にも使用可能である。
【００１５】
キャップ１は、図１に示されるように、使用者の頭部Ｈが挿入可能な頭部挿入部２と、頭部挿入部２の外周に設けられる庇部３とを備える。キャップ１は、使用者の頭部Ｈが頭部挿入部２に挿入されることで、使用者の頭部Ｈに装着される。キャップ１は、本実施形態では使用者の頭部Ｈの上部を覆う部分が設けられていないので、使用者の頭髪の少なくとも一部が上側に露出するように使用者の頭部Ｈに装着される。したがって、使用者は、キャップ１を頭部Ｈに装着した状態で頭部Ｈの髪を洗うことができる。ただし、キャップ１は、洗髪以外の用途に用いられる場合には、使用者の頭部Ｈの上部を覆う部分が設けられてもよい。
【００１６】
頭部挿入部２は、使用者の頭部Ｈが挿入される部位である。頭部挿入部２は、使用者の頭部Ｈが挿入されることで実質的に閉じられて、頭部Ｈと庇部３との間を水が通過するのが抑制される。頭部挿入部２は、図１および図２（ａ）に示されるように、外周の全部に庇部３が設けられた略円形状の孔として形成されている。頭部挿入部２は、使用者の頭部Ｈの大きさに対応する大きさを有し、使用者の頭部Ｈが挿入されることで実質的に閉じられる大きさに形成されている。ただし、頭部挿入部２は、使用者の頭部Ｈが挿入された状態の少なくとも頭部Ｈの前方位置において、頭部Ｈと庇部３との間を水が通過するのを抑制して顔面に水がかかるのを抑制することができれば、本実施形態に限定されることはない。たとえば、頭部挿入部２は、必ずしも外周の全部に庇部３が設けられていなくてもよく、外周の一部に庇部３が設けられた構造であってもよい。また、頭部挿入部２は、使用者の頭部Ｈの形状に適合するように変形可能に構成されていてもよい。
【００１７】
庇部３は、使用者の頭部Ｈの上方から落下する水が使用者の顔面にかかるのを抑制する部位である。庇部３は、図１および図２（ａ）に示されるように、頭部挿入部２の外周に沿って設けられ、頭部挿入部２の外周の全部に亘る略円環状に形成されている。庇部３は、頭部挿入部２の外周に位置し、頭部挿入部２を画定する内縁３１と、内縁３１よりも外側（使用者の頭部Ｈから離れる側）に位置する外縁３２との間に延在する。庇部３は、庇部３の上面に落下する水Ｗが、庇部３の上面に沿って外縁３２に向かって流れ、外縁３２を越えて下方に落下するように構成されている（図３〜図５を参照）。キャップ１は、使用者の頭部Ｈの上方から落下する水Ｗが使用者の顔面（特に目）から離れた位置（外縁３２を越えた位置）で下方に落下するように構成されているので、使用者の水に対する恐怖心を和らげることができる。
【００１８】
なお、庇部３は、使用者の頭部Ｈの上方から落下する水が使用者の顔面にかかるのを抑制することができれば、必ずしも頭部挿入部２の外周の全部に亘って設けられる必要はない。庇部３は、キャップ１が使用者の頭部Ｈに装着される際に、少なくとも使用者の頭部Ｈの前方の位置に有ればよく、頭部挿入部２の外周の一部に設けられていてもよい。庇部３の形状もまた、特に限定されることはなく、略楕円環状、略半円環状など、他の形状であってもよい。庇部３は、使用者の頭部Ｈの上方から落下する水が使用者の顔面にかかるのを抑制することができるように、その大きさを適宜設定することができる。
【００１９】
庇部３は、使用者の頭部Ｈの上方から落下する水の衝撃や、表面に滞留する水の荷重によって破損するのを抑制する強度を有していればよく、その材質は特に限定されない。庇部３は、たとえば合成樹脂や金属により形成することができるが、使用者による取扱いの容易さの観点から、軽量であることが好ましく、合成樹脂により形成されることが好ましい。また、庇部３は、使用者の頭部Ｈへの取り付け易さの観点から、使用者の頭部Ｈの形状に応じて変形可能であることがさらに好ましく、構成材料として、たとえば低密度ポリエチレン、ポリウレタン、熱可塑性エラストマー、シリコーンゴム、フッ素ゴム、エチレン-酢酸ビニル共重合樹脂（ＥＶＡ）などの軟質樹脂が好適に採用される。
【００２０】
庇部３は、本実施形態では、図１および図２に示されるように、庇部３の内縁３１から外縁３２に向かって延びる凸状の山部３３および凹状の谷部３４を備えている。山部３３および谷部３４は、互いに隣接して設けられている。山部３３および谷部３４は、谷部３４の底部３４ａの延びる方向が、山部３３の頂部３３ａの延びる方向に対して、内縁３１から外縁３２に向かって下方に傾斜するように配置される（図２（ｂ）を参照）。したがって、庇部３の上面に落下した水は、山部３３から谷部３４に流れ、谷部３４に沿って内縁３１から外縁３２に向かって流れ、外縁３２から下方に落下する。このように水が優先的に流れる方向を設けることで、庇部３上に水が滞留することが抑制されるので、滞留する水の荷重で庇部３が変形することを抑制できる。それにより、庇部３の強度を低く抑えることができるので、庇部３を軽量化することができる。
【００２１】
庇部３は、本実施形態では、山部３３および谷部３４が頭部挿入部２の外周に沿って、頭部挿入部２の外周の全部に亘って交互に連続的に配置された波板状に形成されている。しかし、庇部３は、使用者の頭部Ｈの上方から落下する水が使用者の顔面にかかるのを抑制することができれば、図示された例に限定されることはなく、山部３３および谷部３４が庇部３の一部だけに設けられていてもよいし、山部３３および谷部３４が全く設けられずに平坦に形成されていてもよい。
【００２２】
庇部３は、本実施形態では、図１および図２に示されるように、庇部３の内縁３１と山部３３および谷部３４との間に設けられる壁部３５をさらに備えている。壁部３５は、山部３３および谷部３４よりも上方に突出すように形成されている。庇部３は、内縁３１側に、上方に突出する壁部３５が設けられることで、上方から落下した水は優先的に壁部３５から外縁３２側に流れるので、内縁３１近傍に水が滞留することが抑制される。したがって、使用者の頭部Ｈと庇部３との間を通って水が落下するのが抑制される。
【００２３】
庇部３は、図１および図２（ａ）に示されるように、庇部３の外縁３２よりも内側（頭部Ｈに近い側）に、水が落下可能な複数の排水孔Ｐ１、Ｐ２が設けられている。排水孔Ｐ１、Ｐ２は、庇部３を上下方向に貫通する孔であり、庇部３の上面に落下する水を庇部３の下に落下させる。庇部３の外縁３２よりも内側に排水孔Ｐ１、Ｐ２が設けられることで、庇部３の上面に落下する水Ｗの少なくとも一部は、外縁３２よりも内側の、使用者の顔面により近い側で水Ｗが落下する（図４および図５を参照）。キャップ１は、使用者の顔面により近い側で水を落下させることで、使用者を水に慣れさせることができるので、使用者の水に対する恐怖心を克服する一助とすることができる。
【００２４】
複数の排水孔Ｐ１、Ｐ２は、図２（ａ）に示されるように、内縁３１からの距離がそれぞれ略同一になるように、そして、頭部挿入部２の外周の周方向に沿って互いに（少なくとも一部は略同一の）間隔を空けて配置される。複数の排水孔Ｐ１、Ｐ２の内縁３１からの距離をそれぞれ略同一とすることで、使用者の頭部Ｈからの距離を略同一とすることができ、それによって落下する水の顔面からの距離を略同一とすることができる。また、複数の排水孔Ｐ１、Ｐ２がそれぞれ互いに略同一の間隔を空けて配置されることで、顔面の前を落下する水の量が周方向で変動するのを抑制することができる。ただし、排水孔Ｐ１、Ｐ２は、庇部３の外縁３２よりも内側に設けられて庇部３の上面に落下する水を下方に落下させることができればよく、設けられる位置は図示された例に限定されない。
【００２５】
排水孔は、図２（ａ）に示されるように、大きさの異なる複数の排水孔Ｐ１、Ｐ２を備える。より具体的には、排水孔は、第１の面積Ａ１を有する第１の排水孔Ｐ１と、第１の面積Ａ１とは異なる第２の面積Ａ２を有する第２の排水孔Ｐ２とを備えている。本実施形態では、第１の面積Ａ１が、第２の面積Ａ２よりも大きい。このように排水孔が大きさの異なる複数の排水孔Ｐ１、Ｐ２を備えることで、使用者の頭部Ｈの前方に位置付ける排水孔Ｐ１、Ｐ２の種類を選択することができ、それによって使用者の顔面に近い位置で落下する水の量を選択（調節）することができる。キャップ１は、使用者の水に対する恐怖心の大きさに応じて落下する水の量を調節することで、使用者の水に対する恐怖心を徐々に克服する一助とすることができる。
【００２６】
第１の排水孔Ｐ１は、本実施形態では、図２（ａ）に示されるように、複数（図示された例では８つ）備えている。複数の第１の排水孔Ｐ１はそれぞれ、内縁３１からの距離がそれぞれ略同一になるように、そして、頭部挿入部２の外周の周方向に沿って互いに略同一の間隔を空けて配置される。第１の排水孔Ｐ１のそれぞれは、頭部挿入部２の外周の周方向に沿って、庇部３の山部３３と谷部３４とに交互に設けられている。第１の排水孔Ｐ１が庇部３の山部３３に設けられている場合は、山部３３の上の水の大部分は谷部３４に流れるので、第１の排水孔Ｐ１を介して落下する水の量は少ない。一方、第１の排水孔Ｐ１が庇部３の谷部３４に設けられている場合は、谷部３４に沿って流れる水が第１の排水孔Ｐ１に流れ込むので、第１の排水孔Ｐ１を介して落下する水の量は多くなる。
【００２７】
第２の排水孔Ｐ２は、本実施形態では、図２（ａ）に示されるように、複数（図示された例では８つ）備えている。複数の第２の排水孔Ｐ２はそれぞれ、内縁３１からの距離がそれぞれ略同一になるように、そして、頭部挿入部２の外周の周方向に沿って互いに（少なくとも一部は略同一の）間隔を空けて配置される。第２の排水孔Ｐ２はすべて、庇部３の山部３３に設けられている。第２の排水孔Ｐ２が庇部３の山部３３に設けられていることで、山部３３の上の水の大部分は谷部３４に流れるので、第２の排水孔Ｐ２を介して落下する水の量は少ない。
【００２８】
排水孔は、本実施形態では面積が異なる２種類の排水孔Ｐ１、Ｐ２を備えているが、面積が同じ排水孔を複数備えていてもよいし、面積が異なる３種類以上の排水孔を備えていてもよい。また、排水孔は、複数備えられていればよく、その数は限定されない。また、排水孔は、本実施形態では庇部３の山部３３および／または谷部３４に設けられているが、他の部位に設けられてもよい。
【００２９】
ここで、庇部３は、図２（ａ）に示されるように、排水孔Ｐ１、Ｐ２が設けられる領域Ｓ１、Ｓ２と、排水孔Ｐ１、Ｐ２が設けられない領域Ｓ３とを備えている。より具体的には、庇部３は、第１の排水孔Ｐ１が設けられる第１の領域Ｓ１と、第２の排水孔Ｐ２が設けられる第２の領域Ｓ２と、排水孔Ｐ１、Ｐ２が設けられない第３の領域Ｓ３とを備えている。本実施形態では、第１の領域Ｓ１、第２の領域Ｓ２および第３の領域Ｓ３は、頭部挿入部２の外周の周方向に沿って連続的に設けられている。キャップ１は、庇部３の排水孔Ｐ１、Ｐ２が設けられる領域Ｓ１、Ｓ２を使用者の頭部Ｈの前方に位置するようにキャップ１を使用者の頭部Ｈに装着することにより、使用者の顔面により近い位置で水Ｗを落下させることができる（図４および図５を参照）。そして、使用者の頭部Ｈの前方に位置付ける領域を第１の領域Ｓ１または第２の領域Ｓ２のいずれかに選択することにより、使用者の顔面により近い位置で落下する水Ｗの量を選択することができる。また、キャップ１は、庇部３の第３の領域Ｓ３を使用者の頭部Ｈの前方に位置するようにキャップ１を使用者の頭部Ｈに装着することにより、使用者の顔面から遠い位置で水Ｗを落下させることができる（図３を参照）。なお、庇部３は、本実施形態では第１〜第３の領域Ｓ１〜Ｓ３の３つの領域を備えているが、その数や配置は特に限定されることはなく、１つまたは２つの領域により構成されていてもよいし、４つ以上の領域により構成されていてもよい。
【００３０】
庇部３は、図１および図２（ａ）に示されるように、排水孔Ｐ１、Ｐ２が設けられる領域Ｓ１、Ｓ２と排水孔Ｐ１、Ｐ２が設けられない領域Ｓ３とを判別するための特徴部Ｆ１、Ｆ２、Ｆ３を備えている。特徴部Ｆ１、Ｆ２、Ｆ３は、本実施形態では、排水孔Ｐ１、Ｐ２が設けられる領域Ｓ１、Ｓ２を判定するための有孔領域特徴部（第１の特徴部Ｆ１、第２の特徴部Ｆ２）と、排水孔Ｐ１、Ｐ２が設けられない領域Ｓ３を判定するための無孔領域特徴部（第３の特徴部Ｆ３）とを備えている。有孔領域特徴部は、庇部３の排水孔Ｐ１、Ｐ２が設けられる領域Ｓ１、Ｓ２に設けられ、無孔領域特徴部は、庇部３の排水孔Ｐ１、Ｐ２が設けられない領域Ｓ３に設けられる。なお、特徴部Ｆ１、Ｆ２、Ｆ３は、本実施形態では有孔領域特徴部および無孔領域特徴部の両方を備えているが、排水孔Ｐ１、Ｐ２が設けられる領域Ｓ１、Ｓ２と排水孔Ｐ１、Ｐ２が設けられない領域Ｓ３とを判別するという目的のためには少なくともいずれか一方を備えていてもよい。
【００３１】
有孔領域特徴部は、本実施形態では、第１の排水孔Ｐ１が設けられる第１の領域Ｓ１と第２の排水孔Ｐ２が設けられる第２の領域Ｓ２とを判別するために用いることができるように構成されている。有孔領域特徴部は、図２（ａ）に示されるように、第１の排水孔Ｐ１が設けられる第１の領域Ｓ１を判定するための第１の特徴部Ｆ１と、第２の排水孔Ｐ２が設けられる第２の領域Ｓ２を判定するための、第１の特徴部Ｆ１とは異なる第２の特徴部Ｆ２とを備えている。第１の特徴部Ｆ１は、第１の領域Ｓ１に設けられ、第２の特徴部Ｆ２は、第２の領域Ｓ２に設けられる。より具体的には、第１の特徴部Ｆ１は、第１の領域Ｓ１の、頭部挿入部２の外周の周方向における略中央に設けられ、第２の特徴部Ｆ２は、第２の領域Ｓ２の、頭部挿入部２の外周の周方向における略中央に設けられる。第１の特徴部Ｆ１および第２の特徴部Ｆ２がそれぞれ第１の領域Ｓ１および第２の領域Ｓ２の略中央に設けられることで、頭部Ｈの前方位置に対する位置合わせが容易である。なお、有孔領域特徴部は、本実施形態では第１の特徴部Ｆ１および第２の特徴部Ｆ２の両方を備えているが、第１の領域Ｓ１と第２の領域Ｓ２とを判別するという目的のためには少なくともいずれか一方のみを備えていてもよい。
【００３２】
特徴部Ｆ１、Ｆ２、Ｆ３は、使用者の少なくとも視覚および／または触覚により存在が認識可能な部位である。特徴部Ｆ１、Ｆ２、Ｆ３は、図２（ａ）に示されるように、排水孔Ｐ１、Ｐ２とは別に設けられている。特徴部Ｆ１、Ｆ２、Ｆ３は、たとえば、排水孔Ｐ１、Ｐ２よりも大きな形状である、あるいは文字が付されているなど、排水孔Ｐ１、Ｐ２よりも認識容易に形成されている。したがって、使用者は、湯気で曇っていて視界が遮られているような風呂場でキャップ１を使用する場合に、排水孔Ｐ１、Ｐ２を容易に認識できないときであっても、特徴部Ｆ１、Ｆ２、Ｆ３を認識することで、排水孔Ｐ１、Ｐ２が設けられている領域Ｓ１、Ｓ２と排水孔Ｐ１、Ｐ２が設けられていない領域Ｓ３とを容易に判別することができ、また、第１の排水孔Ｐ１が設けられる第１の領域Ｓ１と第２の排水孔Ｐ２が設けられる第２の領域Ｓ２とを容易に判別することができる。
【００３３】
第１〜第３の特徴部Ｆ１〜Ｆ３は、互いに対して識別可能であればよく、その構成は特に限定されない。本実施形態では、図２（ａ）に示されるように、第１の特徴部Ｆ１は、上面視が略台形状の凹部であり、第２の特徴部Ｆ２は、上面視が略円形状の凹部であり、第３の特徴部Ｆ３は、上面視が略三角形状の凹部である。つまり、第１の特徴部Ｆ１、第２の特徴部Ｆ２および第３の特徴部Ｆ３は、互いに異なる形状的特徴を有しているので、互いに対して視覚および／または触覚により識別可能である。たとえば、使用者は、第１〜第３の特徴部Ｆ１〜Ｆ３を目で認識することにより、第１〜第３の領域Ｓ１〜Ｓ３を互いに判別して、必要とする第１〜第３の領域Ｓ１〜Ｓ３を頭部Ｈの前方に位置付けて、キャップ１を頭部Ｈに装着することができる。また、使用者は、キャップ１を使用している際に頭部Ｈの前方に位置付ける第１〜第３の領域Ｓ１〜Ｓ３を変更する場合には、キャップ１の上面にある第１〜第３の特徴部Ｆ１〜Ｆ３を視認することはできないが、手で触れることにより認識して、第１〜第３の領域Ｓ１〜Ｓ３を互いに判別して、必要とする第１〜第３の領域Ｓ１〜Ｓ３を頭部Ｈの前方に位置付けることができる。
【００３４】
また、第１〜第３の特徴部Ｆ１〜Ｆ３はそれぞれ、図２（ａ）に示されるように、たとえば「１」、「２」、「３」などの異なる数字（または文字、絵など）が付されていてもよい。第１〜第３の特徴部Ｆ１〜Ｆ３は、互いに異なる数字、文字、絵などが付されることで、使用者が目で見て明確に認識しやすい。使用者はもちろんのこと、たとえば、使用者によるキャップ１の使用を補助する、親などの使用補助者もまた、キャップ１を上面から見ることによって、第１〜第３の領域Ｓ１〜Ｓ３を容易に判別することができる。
【００３５】
つぎに、図３〜図５を参照して、本実施形態のキャップ１の使用方法について説明する。ただし、本発明のキャップは、以下の説明に限定されることはない。
【００３６】
キャップ１は、たとえば水に対する恐怖心が大きい使用者に適用される場合には、図３に示されるように、排水孔Ｐ１、Ｐ２が設けられない第３の領域Ｓ３が頭部Ｈの前方（図中左側）に位置するように頭部Ｈに取り付けられる。このとき、使用者は、第３の特徴部Ｆ３を認識することで、第３の領域Ｓ３を容易に判定することができる。キャップ１が頭部Ｈに装着された状態では、頭部Ｈの上方から庇部３の上面に落下した水Ｗは、庇部３の内縁３１から外縁３２に向かって流れ、外縁３２を越えて下方に落下する（図３（ｂ）を参照）。このとき、落下する水Ｗは、使用者の顔面（特に目）から離れた位置にあるために、使用者が感じる水に対する恐怖心を和らげることができる。
【００３７】
キャップ１は、たとえば水に対する恐怖心を克服しようとする使用者に適用される場合には、図４および図５に示されるように、排水孔Ｐ１、Ｐ２が設けられる領域Ｓ１、Ｓ２が頭部Ｈの前方（図中左側）に位置するように頭部Ｈに取り付けられる。このとき、使用者は、有孔領域特徴部（第１の特徴部Ｆ１、第２の特徴部Ｆ２）を認識することで、排水孔Ｐ１、Ｐ２が設けられる領域Ｓ１、Ｓ２を容易に判定することができる。キャップ１が頭部Ｈに装着された状態では、頭部Ｈの上方から庇部３の上面に落下した水Ｗは、庇部３の内縁３１から外縁３２に向かって流れ、外縁３２を越えて水Ｗが落下すると同時に、外縁３２よりも内側に位置する排水孔Ｐ１、Ｐ２から水Ｗが落下する（図４（ｂ）、図５（ｂ）を参照）。キャップ１は、顔面（特に目）により近い位置で水Ｗを落下させて、使用者を水に慣れさせることで、使用者が水に対する恐怖心を克服する一助とすることができる。
【００３８】
このとき、相対的に小さい面積を有する第２の排水孔Ｐ２が設けられる第２の領域Ｓ２と（図４を参照）、相対的に大きい面積を有する第１の排水孔Ｐ１が設けられる第１の領域Ｓ１と（図５を参照）を順に選択してもよい。
【００３９】
すなわち、キャップ１は、まず、図４に示されるように、相対的に小さい面積を有する第２の領域Ｓ２が頭部Ｈの前方（図中左側）に位置するように頭部Ｈに取り付けられる。このとき、使用者は、第２の特徴部Ｆ２を認識することで、第２の排水孔Ｐ２が設けられる第２の領域Ｓ２を容易に判定することができる。キャップ１が頭部Ｈに装着された状態では、頭部Ｈの上方から庇部３の上面に落下した水Ｗは、庇部３の内縁３１から外縁３２に向かって流れ、外縁３２を越えて水Ｗが落下すると同時に、外縁３２よりも内側に位置する第２の排水孔Ｐ２から水Ｗが落下する（図４（ｂ）を参照）。キャップ１は、顔面（特に目）により近い位置で、相対的に少ない量の水Ｗを落下させて、使用者を少しだけ水に慣れさせることで、使用者の水に対する恐怖心を少しだけ取り除くことができる。
【００４０】
つぎに、使用者が少しだけ水に慣れてくると、キャップ１は、図５に示されるように、第１の領域Ｓ１が頭部Ｈの前方（図中左側）に位置するように頭部Ｈに取り付けられる。このとき、使用者は、第１の特徴部Ｆ１を認識することで、第１の排水孔Ｐ１が設けられる第１の領域Ｓ１を容易に判定することができる。キャップ１が頭部Ｈに装着された状態では、頭部Ｈの上方から庇部３の上面に落下した水Ｗは、庇部３の内縁３１から外縁３２に向かって流れ、外縁３２を越えて水Ｗが落下すると同時に、外縁３２よりも内側に位置する第１の排水孔Ｐ１から水Ｗが落下する（図５（ｂ）を参照）。キャップ１は、顔面（特に目）により近い位置で、相対的に多い量の水Ｗを落下させて、使用者をさらに水に慣れさせることで、使用者の水に対する恐怖心をさらに多く取り除くことができる。
【００４１】
以上に示したように、使用者の顔面により近い位置で落下させる水の量を段階的に増やしていくことで、キャップ１は、使用者が段階的に水に対する恐怖心を克服する一助とすることができる。
【符号の説明】
【００４２】
１  キャップ
２  頭部挿入部
３  庇部
３１  内縁
３２  外縁
３３  山部
３３ａ  頂部
３４  谷部
３４ａ  底部
３５  壁部
Ａ１  第１の面積
Ａ２  第２の面積
Ｆ１  第１の特徴部
Ｆ２  第２の特徴部
Ｆ３  第３の特徴部
Ｈ  使用者の頭部
Ｐ１  第１の排水孔
Ｐ２  第２の排水孔
Ｓ１  第１の領域
Ｓ２  第２の領域
Ｓ３  第３の領域
Ｗ  水
【図１】
2020130882.tif 000003
【図２】
2020130882.tif 000004
【図３】
2020130882.tif 000005
【図４】
2020130882.tif 000006
【図５】
2020130882.tif 000007